(57)【要約】【課題】  操作方法や洗浄動作がもたらすものによって、使用者が違和感をさせること無く、高い搬送性能を得ることである。【解決手段】  本発明では、使用者が排泄を行うボウルと、前記ボウルに溜水を形成するトラップと、前記ボウルに洗浄水を供給する給水源と、前記給水源から供給された所定量の水量を貯留するタンクと、前記タンクから供給された水を前記ボウルに対して給水する給水手段と、を有する水洗大便器において、前記所定量の水を拡大可能な補助タンクを、前記タンクに接続可能であることを特徴とすることにより、高い貯留水位と、高い水量を実現して、結果として洗浄操作や、視認する洗浄行為に違和感を感じさせること無く、搬送性能を高いものに向上させることができるようになった。【選択図】  図１
2019027031.tif 000002
【特許請求の範囲】
【請求項１】
使用者が排泄を行うボウルと、
前記ボウルに溜水を形成するトラップと、
前記ボウルに洗浄水を供給する給水源と、
前記給水源から供給された所定量の水量を貯留するタンクと、
前記タンクから供給された水を前記ボウルに対して給水する給水手段と、
を有する水洗大便器において、
補助タンクを、
前記タンクに接続可能である
ことを特徴とする水洗大便器。
【請求項２】
前記給水手段は所定高さの水位を、重力を利用して供給する
ことを特徴とする水洗大便器。
【請求項３】
前記給水手段はポンプである
ことを特徴とする水洗大便器。
【請求項４】
前記トラップ以降の排水流路に吐水手段を有し、
洗浄シーケンスの後追い工程において、
排水配管に対して前記吐水手段を駆動する
ことを特徴とする水洗大便器。
【請求項５】
洗浄操作に先行して、
排水配管に対して前記吐水手段を駆動する
ことを特徴とする水洗大便器。
【発明の詳細な説明】
【技術分野】
【０００１】
本発明は、建物の排水配管中に存在している汚物に対して、高い瞬間流量（流率）の給水を供給することに係り、特に高い搬送性能を得ることに好適な水洗大便器に関する発明である。 
【背景技術】
【０００２】
従来の建物の排水配管の設備保護技術として、便器の使用状況を把握して、排水配管内に停滞している可能性のある汚物を搬送するために、通常操作とは別の便器洗浄動作を制御しているものがある（例えば、特許文献１参照。）。 
このような場合、排水配管内に停滞している汚物を搬送して、排水配管が汚物によって閉塞してしまうような事故を防止する設備保護が実現できる反面、なぜ洗浄動作が実施されたかの意味を使用者が分からなかったり、使用したい時に洗浄動作が実施されていて、洗浄操作を実施したい時に洗浄操作を実施することができないことがあるという問題があった。
【０００３】
また、定められた洗浄水量で定められた搬送性能が満たせない場合、タンク内の貯留水位を増加させたり、給水停止を遅らせてオーバーフロー配管からオーバーフローさせることが一般的である。貯留水位の増加を図るために、洗浄操作に先立ってタンク内に給水して水位増加を目指しているものもある（例えば、特許文献２参照。）。
しかし、この場合も目指している搬送性能の増加には限界があり、目指したい性能までを満たせないことがあるという問題があった。
【０００４】
また、排水配管内に停滞している汚物の搬送を更新するために、便器洗浄とは別のタイミングで２回の洗浄操作を繰り返すことで、搬送性能の向上を目指しているものもある（例えば、非特許文献１参照。）。
しかし、この場合も排水配管内に停滞している汚物を搬送して、排水配管が汚物によって閉塞してしまうような事故を防止する設備保護が実現できる反面、なぜ洗浄動作が実施されたかの意味を使用者が分からなかったり、使用したい時に洗浄動作が実施されていて、洗浄操作を実施したい時に洗浄操作を実施することができないことがあるという問題があった。
【先行技術文献】
【特許文献】
【０００５】
【特許文献１】特許４０９４７９７号公報
【特許文献２】特開２０１１−１９６１５６号公報
【０００６】
【非特許文献１】川口俊哉，大塚雅之；節水形連立トイレの搬送性能の向上を可能にするシステム開発に関する研究，空気調和衛生工学会大会，２０１６０９１５
【発明の概要】
【発明が解決しようとする課題】
【０００７】
本発明は、上記問題を解決するためになされたもので、本発明の課題は、操作方法や洗浄動作がもたらすものによって、使用者が違和感をさせること無く、高い搬送性能を得ることである。
【課題を解決するための手段】
【０００８】
上記目的を達成するために請求項１記載の発明によれば、使用者が排泄を行うボウルと、前記ボウルに溜水を形成するトラップと、前記ボウルに洗浄水を供給する給水源と、前記給水源から供給された所定量の水量を貯留するタンクと、前記タンクから供給された水を前記ボウルに対して給水する給水手段と、を有する水洗大便器において、前記所定量の水を拡大可能な補助タンクを、前記タンクに接続可能であることを特徴とすることにより、高い貯留水位と、高い水量を実現して、結果として洗浄操作や、視認する洗浄行為に違和感を感じさせること無く、搬送性能を高いものに向上させることができるようになった。
【０００９】
また、請求項２記載の発明のよれば、前記給水手段は所定高さの水位を、重力を利用して供給することにより、対象とする便器が一般的なトイレ装置であっても、搬送性能を向上させることができるようになった。
【００１０】
また、請求項３記載の発明のよれば、前記給水手段はポンプであることを特徴とすることにより、ポンプで洗浄シーケンスを実現するものに対しても、搬送性能を向上させることができるようになった。
【００１１】
また、請求項４記載の発明のよれば、前記トラップ以降の排水流路に吐水手段を有し、洗浄シーケンスの後追い工程において、排水配管に対して前記吐水手段を駆動することにより、排水配管内で停滞した汚物に対して、効率的な搬送を行わせることができるようになった。
【００１２】
また、請求項５記載の発明のよれば、洗浄操作に先行して、排水配管に対して前記吐水手段を駆動することを特徴とすることにより、便器洗浄操作が行われる時には排水配管の停滞した汚物に搬送準備を供しておき、効率的な衝突搬送を促すことができるようになった。
【発明の効果】
【００１３】
本発明によれば、高い貯留水位と、高い水量を実現して、結果として洗浄操作や、視認する洗浄行為に違和感を感じさせること無く、搬送性能を高いものに向上させることができるようになるという効果がある。
【図面の簡単な説明】
【００１４】
【図１】本発明の第一実施例を示すタンクの断面図である。
【図２】本発明の第二実施例を示すタンクの断面図である。
【図３】本発明の第三実施例を示す洗浄システム構成図である。
【図４】本発明の第四実施例を示す吐水手段の断面図である。
【図５】本発明の第五実施例を示す洗浄システム構成図である。
【図６】本発明の第五実施例を示すタイミングチャートである。
【図７】本発明の第六実施例を示す洗浄システム構成図である。
【図８】本発明の第六実施例を示すタイミングチャートである。
【発明を実施するための形態】
【００１５】
図１は、本発明の第一実施例を示すタンクの断面図である。陶器製のタンク本体１の内部には、図示しない大便器への給水を開閉する排水弁２を組み込んで、実際に水を貯留する樹脂製のタンク３が内蔵されている。排水弁２は洗浄レバー４の操作で開放され、重力効果で図示しない大便器に給水を実施する。空水位をなったタンク３に対して、市水は給水弁１１を介して供給され、貯水水位ＷＬで給水が止められるようになっている。万一、給水が停止しなかった場合、オーバーフロー管６を介して図示しない大便器に排出される。また便器の構成としてサイホン方式であった場合、ボウル内が破封する恐れがあるため、リフィール管６を介した給水で封水が復帰する。補助タンク７は、タンク本体１の開口穴を介してタンク３に挿入されている。タンク３の貯水水位ＷＬでは洗浄水量が不足する場合、貯水水位ＷＬを維持した状態で、洗浄水量を加増することができるようになっている。第一実施例においては、補助タンク７をタンク本体１外に設けることで、水量の増加量について制約なくしている。
【００１６】
図２は、本発明の第二実施例を示すタンクの断面図である。基本的な構成において第一実施例と同じであるが、第二実施例においては、補助タンク７をタンク本体１内部に設けることで、意匠性を配慮している。
【００１７】
図３は、本発明の第三実施例を示す洗浄システム構成図である。基本的な構成において第一実施例と同じであるが、第三実施例においては、補助タンク７をタンク３に接続すると共に、ボウルへの給水をポンプによって実施している。
【００１８】
図４は、本発明の第四実施例を示す吐水手段の断面図である。大便器の排出口９は、図示しない建物排水配管と排水ソケット８を介して連通している。排水配管を汚物が搬送することを助すために吐水ノズル１０が設けられ、所定タイミングで給水が実施されるようになっている。
【００１９】
図５は、本発明の第五実施例を示す洗浄システム構成図である。図６は、本発明の第五実施例を示すタイミングチャートである。市水は給水弁１１で開閉されタンク３に供給され、貯水水位ＷＬまで供給される。図示しない操作レバーを操作すると排水弁２が開放され便器に給水される。使用者の操作に合わせて給水手段１１は動作する。排水弁が開放されるとボウルを前洗浄、排出、後洗浄が実施される、所定タイミングからは空になった水位が再び貯水水位ＷＬとなるようになっている。ボウルの後洗浄を実施しているタイミングで排水ソケット８に設けられた吐水ノズル１０が動作して、排水配管内部を搬送される汚物の搬送性能を向上するようになっている。給水は分岐部１２を介して開閉弁１３を介して排水ソケット８に給水されるようになっている。
【００２０】
図７は、本発明の第六実施例を示す洗浄システム構成図である。図８は、本発明の第六実施例を示すタイミングチャートである。使用者の着座に合わせて排水ソケット８に設けられた吐水ノズル１０が動作して、排水配管内部を搬送される汚物の背負い水を増加させる動作が実施される。給水はタンク３への給水を三方弁１２−１を介して排水ソケット８に給水されるようになっている。排水配管に停滞している汚物にの水位状態としては、汚物が排水配管に停滞したときと類似の状態になり、実際の便器洗浄水による搬送動作によって、停滞していた汚物は強い衝突搬送力を受けることになる。
【符号の説明】
【００２１】
１…タンク本体
２…排水弁
３…タンク
４…操作レバー
５…リフィール管
６…オーバーフロー管
７…補助タンク
８…排水ソケット
９…（大便器の）排出口
１０…吐水ノズル
１１…給水弁
１２…分岐部
１２−１…三方弁
１３…開閉弁
ＷＬ…貯水水位
【図１】
2019027031.tif 000003
【図２】
2019027031.tif 000004
【図３】
2019027031.tif 000005
【図４】
2019027031.tif 000006
【図５】
2019027031.tif 000007
【図６】
2019027031.tif 000008
【図７】
2019027031.tif 000009
【図８】
2019027031.tif 000010